(57)【要約】  本発明は、キャップチャーされたイメージのプリントに係り、マルチメディアデータを含むキャップチャーされたイメージに対するプリントオーダリングファイルを記録した記録媒体、そのプリントオーダリングファイルの生成方法及び装置を開示する。本発明によるオーダリングファイルを記録した記録媒体は、キャップチャーされたイメージファイルまたはハイパーテキストファイルまたはこれらの組み合わせと、前記ファイルのうち、プリントするファイルについての選択情報と、選択されたファイルについてのプリント制御情報とに基づいて生成されたオーダリングファイルを記録し、オーダリングファイルはマークアップ言語を利用して記述されることを特徴とする。また、オーダリングファイルは、メディア資産についての定義を含むＭＰＶ標準による資産識別子を利用して記述されるか、またはＸＭＬ標準によるエレメント及び属性を利用して記述されることが望ましい。  これにより、イメージファイルだけでなくハイパーテキストファイルのようなマルチメディアデータをプリントでき、プリント制御情報の制限なしに多様な形態のプリントを行える。
2008518547.tif 000002
【特許請求の範囲】
【請求項１】
保存されたファイルと、
前記保存されたファイルのうち、プリントするファイルについての選択情報と前記プリントするファイルについてのプリント制御情報とに基づいて生成されたマークアップ言語プリントオーダリングファイルとを含むことを特徴とする記録媒体。
【請求項２】
前記保存されたファイルは、キャップチャーされたイメージファイル、ハイパーテキストファイルまたはこれらの組み合わせを含み、前記プリントオーダリングファイルは、前記キャップチャーされたイメージファイル、ハイパーテキストファイルまたはこれらの組み合わせのうちいずれか一つのプリンティングを調整できることを特徴とする請求項１に記載の記録媒体。
【請求項３】
前記オーダリングファイルは、メディア資産についての定義を含むＭＰＶ標準による資産識別子を利用して記述されることを特徴とする請求項１に記載の記録媒体。
【請求項４】
前記オーダリングファイルは、ＸＭＬ標準によるエレメント及び属性を利用して記述されることを特徴とする請求項１に記載の記録媒体。
【請求項５】
前記オーダリングファイルは、前記プリントするファイルについてのマーク情報と、マークされたファイルについてのプリント制御情報とを含むことを特徴とする請求項１に記載の記録媒体。
【請求項６】
前記記録媒体は、キャップチャーデバイスまたはプリントデバイスから着脱自在の分離型記録媒体であり、キャップチャーデバイス及びプリントデバイスに対するインターフェースを含むことを特徴とする請求項１に記載の記録媒体。
【請求項７】
保存されたファイルのうち、プリントするファイルを選択するユーザー選択情報と、ユーザーにより選択されたファイルについてのプリント制御情報とを入力されるステップと、
入力された選択情報及びプリント制御情報に基づいてマークアップ言語を利用したオーダリングファイルを生成するステップと、
前記生成されたオーダリングファイルを記録媒体に保存するステップとを含むことを特徴とするオーダリングファイル生成方法。
【請求項８】
前記保存されたファイルは、キャップチャーされたイメージファイル、ハイパーテキストファイルまたはこれらの組み合わせを含み、前記プリントオーダリングファイルは、前記キャップチャーされたイメージファイル、ハイパーテキストファイルまたはこれらの組み合わせのうちいずれか一つのプリンティングを調整できることを特徴とする請求項７に記載のオーダリングファイル生成方法。
【請求項９】
前記オーダリングファイルは、メディア資産についての定義を含むＭＰＶ標準による資産識別子を利用して記述されることを特徴とする請求項７に記載のオーダリングファイル生成方法。
【請求項１０】
前記オーダリングファイルは、ＸＭＬ標準によるエレメント及び属性を利用して記述されることを特徴とする請求項７に記載のオーダリングファイル生成方法。
【請求項１１】
前記オーダリングファイルは、プリントするファイルについてのマーク情報と、マークされたファイルについてのプリント制御情報とを含むことを特徴とする請求項７に記載のオーダリングファイル生成方法。
【請求項１２】
前記記録媒体は、キャップチャーデバイスまたはプリントデバイスから着脱自在の分離型記録媒体であり、キャップチャーデバイス及びプリントデバイスに対するインターフェースを含むことを特徴とする請求項７に記載のオーダリングファイル生成方法。
【請求項１３】
保存されたファイルのうち、プリントするファイルを選択するユーザー選択情報と、ユーザーにより選択されたファイルについてのプリント制御情報と、を入力されるユーザーインターフェースと、
入力された選択情報及びプリント制御情報に基づいてマークアップ言語を利用したオーダリングファイルを生成するオーダリングファイル生成部と、
前記生成されたオーダリングファイルを記録媒体に保存するストレージ制御部と、を備えることを特徴とするオーダリングファイル生成装置。
【請求項１４】
前記保存されたファイルは、キャップチャーされたイメージファイル、ハイパーテキストファイルまたはこれらの組み合わせを含み、前記プリントオーダリングファイルは前記キャップチャーされたイメージファイル、ハイパーテキストファイルまたはこれらの組み合わせのうちいずれか一つのプリンティングを調整できることを特徴とする請求項１３に記載のオーダリングファイル生成装置。
【請求項１５】
前記オーダリングファイルは、メディア資産についての定義を含むＭＰＶ標準による資産識別子を利用して記述されることを特徴とする請求項１３に記載のオーダリングファイル生成装置。
【請求項１６】
前記オーダリングファイルは、ＸＭＬ標準によるエレメント及び属性を利用して記述されることを特徴とする請求項１３に記載のオーダリングファイル生成装置。
【請求項１７】
前記オーダリングファイルは、プリントするファイルについてのマーク情報と、マークされたファイルについてのプリント制御情報とを含むことを特徴とする請求項１３に記載のオーダリングファイル生成装置。
【請求項１８】
前記記録媒体は、キャップチャーデバイスまたはプリントデバイスから着脱自在の分離型記録媒体であり、キャップチャーデバイス及びプリントデバイスに対するインターフェースを含むことを特徴とする請求項１３に記載のオーダリングファイル生成装置。
【請求項１９】
前記オーダリングファイル生成装置は、イメージをキャップチャーするキャップチャーデバイスであることを特徴とする請求項１３に記載のオーダリングファイル生成装置。
【請求項２０】
前記キャップチャーデバイスは、デジタルカメラ、デジタルカメラ機能を含むモバイル端末のうち一つであることを特徴とする請求項１９に記載のオーダリングファイル生成装置。
【請求項２１】
プリントするファイルと、前記プリントするファイルについてのマーク情報を含むマークアッププリント言語オーダリングファイルと、マークされたファイルについてのプリント制御情報とを保存する記録媒体から、前記プリントオーダリングファイルを読み出す読出部と、
前記読み出したプリントオーダリングファイルを解釈するオーダリングファイル解釈部と、
前記解釈されたプリントオーダリングファイルによって前記プリントするファイルをプリントするプリント制御部と、を備えることを特徴とするプリントデバイス。
【請求項２２】
前記保存されたファイルは、キャップチャーされたイメージファイル、ハイパーテキストファイルまたはこれらの組み合わせを含み、前記プリントオーダリングファイルは、前記キャップチャーされたイメージファイル、ハイパーテキストファイルまたはこれらの組み合わせのうちいずれか一つのプリンティングを調整できることを特徴とする請求項２１に記載のプリントデバイス。
【請求項２３】
前記オーダリングファイルは、メディア資産についての定義を含むＭＰＶ標準による資産識別子を利用して記述されることを特徴とする請求項２１に記載のプリントデバイス。
【請求項２４】
前記オーダリングファイルは、ＸＭＬ標準によるエレメント及び属性を利用して記述されることを特徴とする請求項２１に記載のプリントデバイス。
【発明の詳細な説明】
【技術分野】
【０００１】
本発明は、キャップチャーされたイメージのプリントに係り、より具体的には、マルチメディアデータを含むキャップチャーされたイメージに対するプリントオーダリングファイルを記録した記録媒体、そのプリントオーダリングファイルの生成方法及び装置に関する。
【背景技術】
【０００２】
最近、デジタルスチールカメラ（以下、ＤＳＣと略称する）やデジタルカメラ付きの携帯電話や、個人携帯端末（パーソナルデジタルアシスタント：ＰＤＡ）のようにデジタルイメージをキャップチャーするキャップチャーデバイスが注目されている。また、キャップチャーされたイメージをプリントしようとする要求も共に増大しつつある。これにより、前述したキャップチャーデバイスはデジタルイメージをキャップチャーした後、そのイメージをキャップチャーデバイス内のメモリカードのような記録媒体に保存する。保存されたイメージは、次のような方法を通じてプリントデバイスに伝送されてプリントされる。
【０００３】
第１に、ＵＳＢ（ユニバーサルシリアルバス）やブルートゥースのようなインターフェースを利用してプリントデバイスと直接連結されてイメージを伝送／プリントする方法と、第２に、イメージを保存したメモリカードのような記録媒体をプリントデバイスに挿入してイメージを伝達／プリントする方法がそれである。特に、後者のように記録媒体を利用する場合、イメージファイルをプリントデバイスのファイルシステムに積載してプリントする方法と、記録媒体に記録されたイメージのうち、プリントするイメージをマークしてマークされたイメージのみを出力する方法とが含まれる。本発明は、記録媒体に記録されたイメージのうち、プリントするイメージをマークしてプリントする方法に関する。
【０００４】
メモリカードのような記録媒体は、他の特別な装置なしにプリントするか、画面にプレゼンテーションするために記録媒体内に出力するイメージファイルをマークし、マークされたファイルについてのプリント規則を定めることができる。このようにプリントするファイルをマークしてプリント規則を定めることをプリントオーダリングといい、プリントオーダリングの結果として生成されたファイルをオーダリングファイルという。オーダリングファイルのフォーマットとしては、現在ＤＰＯＦ（デジタルフォトオーダーフォーマット）標準が代表的である。
【０００５】
図１は、従来のイメージファイルをプリントする方法を説明する参考図である。図１を参照するに、デジタルカメラのようなキャップチャーデバイスは、イメージをキャップチャーし、キャップチャーされたイメージについてのプリント情報を記録したＤＰＯＦ標準によるオーダリングファイルを生成する。生成されたオーダリングファイルとイメージファイルとは、メモリカードのような分離型記録媒体に記録される。キャップチャーされたイメージをプリントするために、分離型記録媒体を移してプリントデバイスに挿入する。プリントデバイスは、オーダリングファイルを読み出して、プリントするイメージファイルについてのプリント情報を解釈し、解釈された情報によってイメージをプリントする。イメージを標準プリントしてもよいが、図示されたように、いろいろなイメージファイルを集めてインデックスプリントしてもよい。
【０００６】
図２Ａ及び図２Ｂは、従来のＤＰＯＦ標準によるオーダリングフォーマットを説明するための図である。図２Ａは、ＤＰＯＦ標準によるオーダリングファイルの例を図示し、図２Ｂは、オーダリングファイルで使用するキーワードについての説明を図示する。図２Ｂを参照するに、ＧＥＮ、ＵＳＲ、ＰＲＴのようなキーワードは、全体プリントシステムについての情報であり、ＩＭＧ及びＣＦＧは、各イメージの特性を指定する情報であり、ＶＵＱは、供給者が定義できる情報である。図２Ａを参照するに、［ＪＯＢ］は、ページ単位でプリントされるイメージについての情報であることを示す。図示された例によれば、３ページのイメージについてのオーダリング情報が定義されている。各オーダリング情報には、プリントされるイメージソースファイルと、各イメージファイルがプリントされる規則とが定義される。このようなキーワードを利用してキャップチャーデバイスは、自身がプリントしたいイメージの特性を定義してプリントデバイスに知らせることができる。
【０００７】
これにより、メモリカードのような分離型記録媒体に記録されたイメージのうち、プリントするイメージを選択し、選択されたイメージのプリント規則を定義して、図２Ａに図示された例のようにオーダリングファイルを生成して特定ファイル名で保存する。ＤＰＯＦ標準の場合、生成されたオーダリングファイルは、／ｒｏｏｔ／ｍｉｓｃ／ｐｒｉｎｔ．ｍｒｋという名で保存される。前述したオーダリングファイルが記録された分離型記録媒体がプリントデバイスに挿入される瞬間、プリントデバイスは、前述したディレクトリでオーダリングファイルを探してその内容を解釈し、解釈された情報によってイメージをプリントする。
【０００８】
しかし、従来のＤＰＯＦのような標準はイメージファイルだけを処理できるために、イメージとテキストとが結合されたハイパーテキストのようなマルチメディアデータを処理できないという問題点がある。また、図２Ｂに示したように、制限された数のキーワードを使用してオーダリングファイルを生成するため、ユーザーが所望する多様なプリント情報を表現できずに、オーダリングファイルの柔軟性が落ちるという短所がある。
【発明の開示】
【発明が解決しようとする課題】
【０００９】
したがって、本発明が解決しようとする技術的課題は、マルチメディアデータを含むキャップチャーされたイメージに対するプリントオーダリングファイルを記録した記録媒体を提供することである。
【００１０】
また、本発明が解決しようとする他の技術的課題は、マルチメディアデータを含むキャップチャーされたイメージに対するプリントオーダリングファイルの生成方法及び装置を提供することである。
【課題を解決するための手段】
【００１１】
本発明によって前述した技術的課題は、保存されたファイルと、前記保存されたファイルのうち、プリントするファイルについての選択情報と前記プリントするファイルについてのプリント制御情報とに基づいて生成されたマークアップ言語プリントオーダリングファイルと、を含むことを特徴とする記録媒体により達成される。
【００１２】
前記保存されたファイルは、キャップチャーされたイメージファイル、ハイパーテキストファイルまたはこれらの組み合わせを含み、前記プリントオーダリングファイルは、前記キャップチャーされたイメージファイル、ハイパーテキストファイルまたはこれらの組み合わせのうちいずれか一つのプリンティングを調整できる。
【００１３】
前記オーダリングファイルは、メディア資産についての定義を含むＭＰＶ標準による資産識別子を利用して記述されることが望ましい。
【００１４】
また、前記オーダリングファイルは、ＸＭＬ標準によるエレメント及び属性を利用して記述されることが望ましい。
【００１５】
また、前記オーダリングファイルは、前記プリントするファイルについてのマーク情報と、マークされたファイルについてのプリント制御情報と、を含むことが望ましい。
【００１６】
前記記録媒体は、キャップチャーデバイスまたはプリントデバイスから着脱自在の分離型記録媒体であり、キャップチャーデバイス及びプリントデバイスに対するインターフェースを含むことが望ましい。
【００１７】
一方、本発明の他の分野によれば、前述した技術的課題は、保存されたファイルのうち、プリントするファイルを選択するユーザー選択情報と、ユーザーにより選択されたファイルについてのプリント制御情報と、を入力されるステップと、入力された選択情報及びプリント制御情報に基づいてマークアップ言語を利用したオーダリングファイルを生成するステップと、前記生成されたオーダリングファイルを記録媒体に保存するステップとを含むことを特徴とするオーダリングファイル生成方法により達成される。
【００１８】
一方、本発明の他の分野によれば、前述した技術的課題は、保存されたファイルのうち、プリントするファイルを選択するユーザー選択情報と、ユーザーにより選択されたファイルについてのプリント制御情報と、を入力されるユーザーインターフェースと、入力された選択情報及びプリント制御情報に基づいてマークアップ言語を利用したオーダリングファイルを生成するオーダリングファイル生成部と、前記生成されたオーダリングファイルを記録媒体に保存するストレージ制御部とを備えることを特徴とするオーダリングファイル生成装置により達成される。
【００１９】
前記オーダリングファイル生成装置は、イメージをキャップチャーするキャップチャーデバイスであることが望ましく、前記キャップチャーデバイスは、デジタルカメラ、デジタルカメラ機能を含むモバイル端末のうち一つであることが特に望ましい。
一方、本発明の他の分野によれば、前述した技術的課題は、プリントするファイルと、前記プリントするファイルについてのマーク情報を含むマークアッププリント言語オーダリングファイルと、マークされたファイルについてのプリント制御情報とを保存する記録媒体から、前記プリントオーダリングファイルを読み出す読出部と、前記読み出したプリントオーダリングファイルを解釈するオーダリングファイル解釈部と、前記解釈されたプリントオーダリングファイルによって前記プリントするファイルをプリントするプリント制御部とを備えることを特徴とするプリントデバイスにより達成される。
【発明の効果】
【００２０】
本発明によれば、マルチメディアデータを含むキャップチャーされたイメージに対するプリントオーダリングファイルを記録した記録媒体、そのプリントオーダリングファイルの生成方法及び装置が提供される。
【００２１】
すなわち、イメージファイルだけではなくハイパーテキストファイルのようなマルチメディアデータをプリントでき、プリント制御情報の制限なしに多様な形態のプリントを行える。
【００２２】
また、ＭＰＶ基盤のオーダリングファイルの場合、既存ＭＰＶ標準によって定義された資産をそのまま利用してオーダリングファイルを生成できるという長所がある。一方、ＸＭＬ基盤のオーダリングファイルの場合、ＭＰＶ標準による規則に従わなくてもよいために、ＭＰＶ基盤のオーダリングファイルに比べてさらに簡単にオーダリングファイルを生成できるという長所がある。
【発明を実施するための最良の形態】
【００２３】
以下では、添付した図面を参照して本発明の望ましい実施形態を詳細に説明する。
【００２４】
図３は、本発明によるイメージファイル及びハイパーテキストファイルをプリントする方法を説明する参考図である。図３を参照するに、キャップチャーデバイスは、本発明による新たなオーダリングフォーマットによってイメージファイル及びハイパーテキストファイルを処理するオーダリングファイルを生成して分離型記録媒体に記録する。記録されたオーダリングファイルは、プリントデバイスにより解釈されてマークされたイメージファイルやハイパーテキストファイルを指定されたプリント規則によってプリントする。本発明によるプリントオーダリングファイルのフォーマットについては、後述する。
【００２５】
関連技術であるＤＰＯＦとは異なって、本発明によるオーダリングファイルは、イメージファイルだけでなくハイパーテキストのようなマルチメディアデータも処理できるというところにその特徴がある。これにより、イメージを背景と合成してプリントするか、アバターのようにプリントでき、さらに携帯電話の短文メッセージであるＳＭＳ（Ｓｈｏｒｔ  Ｍｅｓｓａｇｅ  Ｓｅｒｖｉｃｅ）やフォトメールのようなＭＭＳ（Ｍｕｌｔｉｍｅｄｉａ  Ｍｅｓｓａｇｅ  Ｓｅｒｖｉｃｅ）、または個人情報サービスであるＰＩＭＳ（Ｐｅｒｓｏｎａｌ  Ｉｎｆｏｒｍａｔｉｏｎ  Ｍｅｓｓａｇｅ  Ｓｅｒｖｉｃｅ）のようなマルチメディア情報をイメージと共にプリントできる。
【００２６】
図４は、本発明の望ましい実施形態によるオーダリングファイル生成装置の構造図である。図４を参照するに、本発明によるオーダリングファイル生成装置１は、オーダリングファイル生成部１０及び記録制御部２０を備える。
【００２７】
オーダリングファイル生成部１０は、ユーザーからプリントするイメージファイルまたはハイパーテキストファイルについての選択情報と各ファイルについてのプリント制御情報とを入力され、保存されたイメージファイルまたはハイパーテキストファイルのうち、選択されたイメージファイルまたはハイパーテキストファイルを参照してオーダリングファイルを生成する。本発明による具体的なオーダリングフォーマットは後述する。
【００２８】
記録制御部２０は、生成されたオーダリングファイルがオーダリングファイル生成装置１に装着された分離型記録媒体３０に記録されるように制御する。この時、オーダリングファイル３２は、イメージファイル３４またはハイパーテキストファイル３６を参照する。分離型記録媒体３０がプリントデバイス（図示せず）に挿入されれば、記録されたオーダリングファイルに基づいてイメージファイルまたはハイパーテキストファイルをプリントできる。
【００２９】
図５Ａ及び図５Ｂは、本発明によるオーダリングファイル生成装置１の一実施形態である。図５Ａを参照するに、本発明の一実施形態として、ＭＰＶ（ミュージックフォトビデオ）基盤のオーダリングファイルを生成する装置が図示される。オーダリングファイル生成部１０Ａは、ＭＰＶ標準による資産に対する識別子（Ａｓｓｅｔ  ＩＤ）を利用してプリントするイメージファイルやハイパーテキストファイルを指定するように、ＭＰＶ基盤のオーダリングファイル３２Ａを生成できる。
【００３０】
前述したキャップチャーデバイスは、デジタルカメラ、デジタルカムコーダ、デジタルカメラ機能を持つ移動端末機のようなＣＥ（コンシューマエレクトロニクス）デバイスをいう。キャップチャーデバイスは、デジタル写真、イメージ、テキストのような多様な形態のメディアをキャップチャーできる。ＭＰＶ標準では、このような多様なメディアを資産と定義する。資産は、シンプルメディア資産と複合メディア資産とがある。シンプルメディア資産は、デジタル写真、ビデオ、デジタルオーディオ、文書などが含まれ、複合メディア資産は、デジタル写真＋デジタルオーディオ、連続撮影デジタル写真、パノマラ撮影デジタル写真などが含まれる。
【００３１】
したがって、本発明によるイメージファイルやハイパーテキストファイルは、ＭＰＶ標準による資産と定義できる。本実施形態によるオーダリングファイル３２Ａは、各資産に対する識別子（Ａｓｓｅｔ  ＩＤ）を利用してプリントするイメージファイルやハイパーテキストファイルを指定する。
【００３２】
図５Ｂを参照するに、本発明の他の実施形態として、ＸＭＬ基盤のオーダリングファイルを生成する装置が図示される。オーダリングファイル生成部１０Ｂは、ＸＭＬ標準によるエレメントや属性を利用してプリントするイメージファイルやハイパーテキストファイルを指定するように、ＸＭＬ基盤のオーダリングファイル３２Ｂを生成できる。
【００３３】
以下では、各実施形態によるオーダリングファイルのフォーマットをさらに具体的に説明する。図６Ａないし図６Ｄは、本発明によって生成されたオーダリングファイルの一実施形態である。
【００３４】
図６Ａないし図６Ｄを参照するに、図５Ａに図示されたオーダリングファイル生成部１０Ａにより生成されたＭＰＶ基盤のオーダリングファイル３２Ａの一例が図示される。図６Ａないし図６Ｄは、一つのオーダリングファイルであり、説明の便宜上区切ったものに過ぎない。図６Ａの＜ｆｉｌｅ：Ｍｅｎｉｆｅｓｔ＞部分には参照するＭＰＶ標準についての情報が定義される。＜ｍｐｖｐｔｒ：ＪｏｂＬｉｓｔ＞部分は、プリントするイメージファイルまたはハイパーテキストファイルについてのプリント制御情報が定義される。１０２及び１０４は、２個のファイルについてのプリント制御情報が定義されている。特に、１０２のうち、ｍｐｖ：ｉｄＲｅｆ＝“ＩＤ０００１００”や、１０４のうち、ｍｐｖ：ｉｄＲｅｆ＝“ＩＤ０００２００”はプリントするファイルを指定する情報であり、直接イメージファイルやハイパーテキストファイルを指定せず、プリントするイメージファイルやハイパーテキストファイルをＭＰＶ標準による資産と定義した資産の識別子（Ａｓｓｅｔ  ＩＤ）を指定する。すなわち、資産の識別子を通じて定義された資産に含まれたイメージファイルやハイパーテキストファイルを参照するようにする。資産の識別子を利用して指定された資産についての定義は、図６Ｂ及び図６Ｄの１０６、１０８、または１１０に図示される。ＭＰＶ基盤のオーダリングファイルについてのさらに詳細な説明は後述する。
【００３５】
一方、図７Ａ及び図７Ｂは、本発明によって生成されたオーダリングファイルの他の実施形態である。
【００３６】
図７Ａ及び図７Ｂを参照するに、図５Ｂに図示されたオーダリングファイル生成部１０Ｂにより生成されたＸＭＬ基盤のオーダリングファイル３２Ｂの一例が図示される。図７Ａ及び図７Ｂは、一つのオーダリングファイルであり、説明の便宜上区切ったものにすぎない。図７Ａには、４個のオーダリングジョブ２０２ないし２０８が定義されている。ジョブ（ｊｏｂ）は、ページ単位でプリントされるオーダリング情報を意味する。２０２には、ａｌｂｕｍ．ｈｔｍｌという名前のハイパーテキストファイルについてのプリント制御情報が定義され、２０４には、１．ｊｐｇという名前のイメージファイルを９０°回転してプリントするように制御情報が定義される。また、２０６には、１．ｊｐｇという名前のイメージファイルを０°、１２０°、１８０°に回転してインデックス形態でプリントするように定義され、２０８には、ａｌｂｕｍ１．ｈｔｍｌ、ａｌｂｕｍ２．ｈｔｍｌ、ａｌｂｕｍ３．ｈｔｍｌ、ａｌｂｕｍ４．ｈｔｍｌという４個のハイパーテキストファイルをインデックス形態でプリントするように定義される。その他、＜ｖｅｎｄｏｒ−ｓｐｅｃｉｆｉｃ＞のように供給者が定義した情報を表示することもできる。
【００３７】
このように、図７Ａ及び図７ＢのようなＸＭＬ基盤のオーダリングファイルは、図６Ａないし図６Ｄに図示されたＭＰＶ基盤のオーダリングファイルに比べてさらに簡単にプリントオーダリング情報を定義できるという長所がある。ＭＰＶ標準に定義された規則に従わなくてもよいためである。一方、図６Ａないし図６ＤのようなＭＰＶ基盤のオーダリングファイルは、既存のＭＰＶ標準によって定義された資産をそのまま利用してプリントオーダリング情報を定義できるという長所がある。したがって、応用環境によってＭＰＶ基盤のオーダリングファイルまたはＸＭＬ基盤のオーダリングファイルを選択的に使用できる。
【００３８】
以下では、前述したＭＰＶ基盤のオーダリングファイルについてさらに詳細に説明する。図８ないし図１１は、図６Ａないし図６Ｄに図示されたＭＰＶ基盤のオーダリングファイル３２Ａを説明するための図である。
【００３９】
図８は、ＭＰＶ基盤のオーダリングファイル３２Ａの全体構造を図示した図である。ＭＰＶ基盤のオーダリングファイルは、メタデータを保存する部分３００、プリント単位であるジョブ（ＪＯＢ）の構成を表す部分４００、そして、実際イメージやハイパーテキストファイルについての資産情報を定義した部分５００を含む。
【００４０】
まず、メタデータを保存する部分３００は、ＭＰＶ標準自体についての情報を指定する部分であり、図９に図示される。図９を参照するに、ｏｓｔａのＭＰＶ標準についての基本定義であるベーシックプロファイル（ｂａｓｉｃ  ｐｒｏｆｉｌｅ）とプリントに関する定義であるプリンティングプロファイル（ｐｒｉｎｔｉｎｇ  ｐｒｏｆｉｌｅ）とが指定される。該当位置にＭＰＶ標準による基本情報とプリントに関する情報とが存在する。
【００４１】
また、プリント単位であるジョブ（ＪＯＢ）の構成を表す部分４００は図１０に図示される。図１０を参照するに、ｍｐｖｐｒｔ：ＪｏｂＬｉｓｔの定義が図示されている。ジョブリスト（ＪｏｂＬｉｓｔ）は、プリント単位であるジョブ（ｊｏｂ）を定義する部分であり、コピーするファイルの数＜ｍｐｖｐｒｔ：ＮｕｍｂｅｒＯｆＣｏｐｙ＞、境界をつけるか＜Ｂｏｒｄｅｒｌｅｓｓ＞、白黒かカラーか＜Ｃｏｌｏｕｒ＞、回転するか＜Ｒｏｔａｔｉｏｎ＞、クロッピング（ｃｒｏｐｐｉｎｇ）するかどうか＜Ｃｒｏｐｐｉｎｇ＞などのプリント制御情報を指定する。４０６で＜ｍｐｖ：ＳｔｉｌｌＲｅｆｍｐｖ：ｉｄＲｅｆ＝“ＩＤ０００２００”／＞のように定義することで、ＭＰＶ標準による資産リスト（ＡｓｓｅｔＬｉｓｔ）５００で、該当ジョブに対応するイメージファイルまたはハイパーテキストファイルを探してオーダリング処理する。４０６に定義されたジョブ（Ｊｏｂ）を例とすれば、ＩＤ０００２００という資産識別子を持つ資産からイメージファイルまたはハイパーテキストファイルを参照してプリントし、１枚をプリントし、９０°回転し、クロッピングし、境界線を表示し、白黒でプリントせよとのプリント情報が定義されている。ＩＤ０００２０００という資産識別子を利用して後述する資産定義部分５００で実際イメージファイルやハイパーテキストファイルを探すことができる。
【００４２】
最後に、実際イメージやハイパーテキストファイルについての情報を定義した部分５００は図１１に図示される。資産リスト（ＡｓｓｅｔＬｉｓｔ）は新たに定義されたものではなく、ＭＰＶ標準で本来勧告する資産のリストである。各資産は固有の識別子を持つが、このような資産の識別子を参照して実際イメージファイルやハイパーテキストファイルを探すことができる。資産の識別子は、プリント単位であるジョブの構成を表す部分４００で、＜ｍｐｖ：ＳｔｉｌｌＲｅｆ  ｍｐｖ：ｉｄＲｅｆ＝“ＩＤ０００２００”／＞のような形態で参照される。図１１に示したように、資産リストには資産が基本的に持つ属性についてのメタデータが記録されている。すなわち、ラストＵＲＬ＜ｍｐｖ：ＬａｓｔＵＲＬ＞、フォーマット＜ｆｏｒｍａｔ＞、タイトル＜ｔｉｔｌｅ＞、製作者＜ｃｒｅａｔｏｒ＞、実際ファイルの属性＜ｍｐｖ：ＦｉｌｅＰｒｏｐｅｒｔｉｅｓ＞のメタデータが含まれる。
【００４３】
図１２Ａ及び図１２Ｂは、本発明によるオーダリングファイルを生成するためのユーザーインターフェースの一例である。図１２Ａ及び図１２Ｂに示したようなユーザーインターフェースを利用して、プリントするイメージファイルまたはハイパーテキストファイルを選択でき、プリントフォーマット、フレーム装飾、紙サイズ、紙タイプ、共に表示するテキスト情報など多様なプリント制御情報を選択できる。
【００４４】
図１３は、本発明によって生成されたオーダリングファイルを利用してハイパーテキストをプリントした結果を示す。本発明によるオーダリングファイルを利用すれば、イメージファイルだけでなく、ハイパーテキストファイルも選択されたプリント制御情報によって多様な形態でプリントできる。図１３に示したように、キャップチャーされたイメージに誕生日祝いメッセージを結合して祝賀カードの形態でプリントすることもできる。
【００４５】
以上では、イメージファイルやハイパーテキストファイルをプリントデバイスを利用してプリントする場合を例として説明したが、プリントする代わりに画面にプレゼンテーションする場合にも前述したオーダリングファイルを応用できるということは言うまでもない。
【００４６】
図１４は、本発明によるオーダリングファイルの生成方法を示すフローチャートである。図１４を参照するに、本発明によるオーダリングファイルを生成する方法は、まずユーザーインターフェースを通じてユーザーからプリントされるイメージファイルまたはハイパーテキストファイルについての選択情報と、選択されたファイルをどのようにプリントするかを表すプリント制御についての選択情報とを入力される（７０２ステップ）。入力された選択情報に基づいて前述したようにＭＰＶ基盤またはＸＭＬ基盤のオーダリングファイルを生成する（７０４ステップ）。生成されたオーダリングファイルをメモリカードのような分離型記録媒体に記録する（７０６ステップ）。
【００４７】
このようにキャップチャーデバイスで生成されたオーダリングファイルを分離型記録媒体に記録し、オーダリングファイルが記録された分離型記録媒体をプリントデバイスに挿入すれば、記録されたオーダリングファイルが解釈され、プリントするイメージファイルやハイパーテキストファイルにプリント制御情報を適用してプリントできる。
【００４８】
要約すれば、本発明は、プリントするイメージファイルまたはハイパーテキストファイルをマークし、これについてのプリント制御情報を利用してＭＰＶ基盤またはＸＭＬ基盤のオーダリングファイルを生成して、メモリカードのような分離型記録媒体に保存する方法に関する。プリントするファイルとそれについてのプリント制御情報は、キャップチャーデバイスで提供されるユーザーインターフェースを通じて選択され、選択情報に基づいて図６Ａないし図６Ｄに図示されたＭＰＶ基盤のオーダリングファイル３２Ａ、または図７Ａ及び図７Ｂに図示されたＸＭＬ基盤のオーダリングファイル３２Ｂが生成される。生成されたオーダリングファイルは、分離型記録媒体のあらかじめ定義された所定位置に保存される。オーダリングファイルを保存した分離型記録媒体が、プリントデバイスやＴＶやＤＶＤレコーダのようなディスプレイデバイスに挿入されれば、所定の位置からオーダリングファイルが読み出されて解釈される。解釈されたオーダリング情報に基づいて、プリントデバイスの場合にプリントする。また、ディスプレイデバイスの場合は、画面にディスプレイするか、ＤＶＤタイトルを作って所蔵してもよい。図示していないが、前述したオーダリングファイルをプリントするプリントデバイスは、分離型記録媒体に記録されたオーダリングファイルを読み出す読出部、読み出したＭＰＶ基盤またはＸＭＬ基盤のオーダリングファイルを解釈する解釈部、及び解釈された情報に基づいてマークされたイメージファイルやハイパーテキストファイルを指定されたプリント制御情報によってプリントするプリント制御部を備えることが望ましい。
【００４９】
一方、本発明によるオーダリングファイルの生成方法はコンピュータプログラムで作成可能である。前記プログラムを構成するコード及びコードセグメントは当該分野のコンピュータプログラマーによって容易に推論される。また、前記プログラムは、コンピュータで読み取り可能な記録媒体に保存され、コンピュータによって読み取られて実行されることによってオーダリングファイルの生成方法を具現する。前記情報記録媒体は、磁気記録媒体、光記録媒体、及びキャリアウェーブ媒体を含む。
【００５０】
これまで本発明についてその望ましい実施形態を中心に説明した。当業者ならば本発明が本発明の本質的な特性から逸脱しない範囲で変形された形態で具現されることを理解できるであろう。したがって、開示された実施形態は限定的な観点ではなく、説明的な観点で考慮されねばならない。本発明の範囲は前述した説明ではなく、特許請求の範囲に現れており、それと同等な範囲内にあるあらゆる差異点は、本発明に含まれていると解釈されねばならない。
【図面の簡単な説明】
【００５１】
【図１】従来のイメージファイルをプリントする方法を説明する参考図である。
【図２Ａ】従来のＤＰＯＦ標準によるオーダリングフォーマットを説明するための図である。
【図２Ｂ】従来のＤＰＯＦ標準によるオーダリングフォーマットを説明するための図である。
【図３】本発明によるイメージファイル及びハイパーテキストファイルをプリントする方法を説明する参考図である。
【図４】本発明の望ましい実施形態によるオーダリングファイル生成装置の構造図である。
【図５Ａ】本発明によるオーダリングファイル生成装置の一実施形態を示す図である。
【図５Ｂ】本発明によるオーダリングファイル生成装置の一実施形態を示す図である。
【図６Ａ】本発明によって生成されたオーダリングファイルの一実施形態を示す図である。
【図６Ｂ】本発明によって生成されたオーダリングファイルの一実施形態を示す図である。
【図６Ｃ】本発明によって生成されたオーダリングファイルの一実施形態を示す図である。
【図６Ｄ】本発明によって生成されたオーダリングファイルの一実施形態を示す図である。
【図７Ａ】本発明によって生成されたオーダリングファイルの他の実施形態を示す図である。
【図７Ｂ】本発明によって生成されたオーダリングファイルの他の実施形態を示す図である。
【図８】図６Ａないし図６Ｄに図示されたＭＰＶ基盤のオーダリングファイルを説明するための図である。
【図９】図６Ａないし図６Ｄに図示されたＭＰＶ基盤のオーダリングファイルを説明するための図である。
【図１０】図６Ａないし図６Ｄに図示されたＭＰＶ基盤のオーダリングファイルを説明するための図である。
【図１１】図６Ａないし図６Ｄに図示されたＭＰＶ基盤のオーダリングファイルを説明するための図である。
【図１２Ａ】本発明によるオーダリングファイルを生成するためのユーザーインターフェースの一例を示す図である。
【図１２Ｂ】本発明によるオーダリングファイルを生成するためのユーザーインターフェースの一例を示す図である。
【図１３】本発明によって生成されたオーダリングファイルを利用してハイパーテキストをプリントした結果を示す図である。
【図１４】本発明によるオーダリングファイルの生成方法を示すフローチャートである。
【図１】
2008518547.tif 000003
【図２Ａ】
2008518547.tif 000004
【図２Ｂ】
2008518547.tif 000005
【図３】
2008518547.tif 000006
【図４】
2008518547.tif 000007
【図５Ａ】
2008518547.tif 000008
【図５Ｂ】
2008518547.tif 000009
【図６Ａ】
2008518547.tif 000010
【図６Ｂ】
2008518547.tif 000011
【図６Ｃ】
2008518547.tif 000012
【図６Ｄ】
2008518547.tif 000013
【図７Ａ】
2008518547.tif 000014
【図７Ｂ】
2008518547.tif 000015
【図８】
2008518547.tif 000016
【図９】
2008518547.tif 000017
【図１０】
2008518547.tif 000018
【図１１】
2008518547.tif 000019
【図１２Ａ】
2008518547.tif 000020
【図１２Ｂ】
2008518547.tif 000021
【図１３】
2008518547.tif 000022
【図１４】
2008518547.tif 000023
【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
プリントするファイルを直接指定せずに参照する参照情報、及び前記プリントするファイルについてのプリント制御情報を含むオーダリングファイルを生成するステップと、
前記オーダリングファイルを記録媒体に記録するステップと、を含むことを特徴とするオーダリングファイル生成方法。
【請求項２】
前記参照情報は、資産の識別子を指定する情報であることを特徴とする請求項１に記載のオーダリングファイル生成方法。
【請求項３】
前記資産は、ＭＰＶ標準によって定義された資産であることを特徴とする請求項２に記載のオーダリングファイル生成方法。
【請求項４】
前記プリントするファイルは、イメージファイルやハイパーテキストファイルまたはこれらの組み合わせであることを特徴とする請求項１に記載のオーダリングファイル生成方法。
【請求項５】
前記ハイパーテキストファイルは、イメージまたはテキストの情報を含むことを特徴とする請求項４に記載のオーダリングファイル生成方法。
【請求項６】
前記記録媒体は、デバイスから着脱可能な分離型記録媒体であることを特徴とする請求項１に記載のオーダリングファイル生成方法。
【請求項７】
記録媒体からプリントするファイルを直接指定せずに参照する参照情報、及び前記プリントするファイルについてのプリント制御情報を含むオーダリングファイルを読み取るステップと、
前記オーダリングファイルを解釈するステップと、
解釈された情報に基づいて前記プリントするファイルを前記プリント制御情報によってプリントするステップと、を含むことを特徴とするプリント方法。
【請求項８】
前記参照情報は、資産の識別子を指定する情報であることを特徴とする請求項７に記載のプリント方法。
【請求項９】
前記資産の識別子は、ＭＰＶ標準によって定義された資産であることを特徴とする請求項８に記載のプリント方法。
【請求項１０】
前記プリントするファイルは、イメージファイルやハイパーテキストファイルまたはこれらの組み合わせであることを特徴とする請求項７に記載のプリント方法。
【請求項１１】
前記ハイパーテキストファイルは、イメージまたはテキストの情報を含むことを特徴とする請求項１０に記載のプリント方法。
【請求項１２】
前記記録媒体は、デバイスから着脱可能な分離型記録媒体であることを特徴とする請求項７に記載のプリント方法。
【請求項１３】
プリントするファイルを直接指定せずに参照する参照情報、及び前記プリントするファイルについてのプリント制御情報を含むオーダリングファイルを生成するオーダリングファイル生成部と、
前記オーダリングファイルを記録媒体に記録するストレージ制御部と、を備えることを特徴とするオーダリングファイル生成装置。
【請求項１４】
前記参照情報は、資産の識別子を指定する情報であることを特徴とする請求項１３に記載のオーダリングファイル生成装置。
【請求項１５】
前記資産の識別子は、ＭＰＶ標準によって定義された資産であることを特徴とする請求項１４に記載のオーダリングファイル生成装置。
【請求項１６】
前記プリントするファイルは、イメージファイルやハイパーテキストファイルまたはこれらの組み合わせであることを特徴とする請求項１３に記載のオーダリングファイル生成装置。
【請求項１７】
前記ハイパーテキストファイルは、イメージまたはテキストの情報を含むことを特徴とする請求項１６に記載のオーダリングファイル生成装置。
【請求項１８】
前記記録媒体は、デバイスから着脱可能な分離型記録媒体であることを特徴とする請求項１３に記載のオーダリングファイル生成装置。
【請求項１９】
記録媒体からプリントするファイルを直接指定せずに参照する参照情報、及び前記プリントするファイルについてのプリント制御情報を含むオーダリングファイルを読み取る読出部と、
前記オーダリングファイルを解釈するオーダリングファイル解釈部と、
解釈された情報に基づいて前記プリントするファイルを前記プリント制御情報によってプリントするプリント制御部と、を備えることを特徴とするプリント装置。
【請求項２０】
前記参照情報は、資産の識別子を指定する情報であることを特徴とする請求項１９に記載のプリント装置。
【請求項２１】
前記資産の識別子は、ＭＰＶ標準によって定義された資産であることを特徴とする請求項２０に記載のプリント装置。
【請求項２２】
前記プリントするファイルは、イメージファイルやハイパーテキストファイルまたはこれらの組み合わせであることを特徴とする請求項１９に記載のプリント装置。
【請求項２３】
前記ハイパーテキストファイルは、イメージまたはテキストの情報を含むことを特徴とする請求項２２に記載のプリント装置。
【請求項２４】
前記記録媒体は、デバイスから着脱可能な分離型記録媒体であることを特徴とする請求項１９に記載のプリント装置。
【国際調査報告】
2008518547.tif 000024